(57)【要約】【課題】生ゴミ等を収納する収納部をシンク底面に設置することなく、かつ、生ゴミ等から滲出する汚水がシンク底面上を流れることなく排出され、シンク底面を広く、シンク自体を有効に使えるシンクの収納構造を提供する。【解決手段】シンク３内の横側面３１に設けられた格納用凹所２とこの格納用凹所２に出没自在に格納される収納部１とからなる収納構造であって、該収納部１には水抜き孔１１が設けられるとともに、上記格納用凹所２の底面には汚水排水口２１が設けられ、上記収納部１に収納された収納物から滲出し、上記水抜き孔１１から滴り落ちた汚水は上記汚水排水口２１に流れてシンク３底面下方に配設された汚水排水管４に排出され、この汚水排水管４を経てシンク排水口からの排水と共に排出されるシンクの収納構造Ａ。【選択図】図１
2008025261.tif 000002
【特許請求の範囲】
【請求項１】
シンク内の横側面に設けられた格納用凹所とこの格納用凹所に出没自在に格納される収納部とからなる収納構造であって、該収納部には水抜き孔が設けられるとともに、上記格納用凹所の底面には汚水排水口が設けられ、上記収納部に収納された収納物から滲出し、上記水抜き孔から滴り落ちた汚水は上記汚水排水口に流れてシンク底面下方に配設された汚水排水管に排出され、この汚水排水管を経てシンク排水口からの排水と共に排出されるシンクの収納構造。
【請求項２】
上記収納部を略鋭角三角柱とするとともに、略鋭角三角柱の鋭角部の下部に孔部を設け、上記格納用凹所の上記孔部に相当する底面に回動軸を突設し、この回動軸を上記孔部に嵌挿することにより、上記略鋭角三角柱形状の収納部が鋭角部を軸心にして回動自在、かつ、着脱自在に格納用凹所に格納される請求項１に記載のシンクの収納構造。
【請求項３】
上記収納部を箱体とするとともに、この箱体が上記格納用凹所に嵌挿自在、かつ、着脱自在に格納される請求項１に記載のシンクの収納構造。
【請求項４】
上記収納部が生ゴミ収納用水切りかごである請求項１に記載のシンクの収納構造。
【発明の詳細な説明】
【技術分野】
【０００１】
本発明は、キッチンに配設されるシンクの構造に関する。さらに詳しくは、シンク内の横側面に収納スペースを凹設したシンクの収納構造に関する。
【背景技術】
【０００２】
従来から、シンク内のスペースを広く、かつ、有効に使用するためのシンクの構造が提案されている。例えば、下記特許文献１には、シンクの底面でシンクの奥側の中程に排水口を設け、排水口に向かってシンクの底面を傾斜させ、シンクの奥側隅角部に水切りかごを出し入れ自在に収納できる水切りかご収納部を設け、該水切りかご収納部の上部開口がシンクの底面と略面一になるように形成し、シンク下方にキャビネットを設け、排水口に接続した排水管と水切りかごの底部に接続した排水管とをキャビネット内の奥側で一本に集結してなる流し台の排水構造が開示されている。
【０００３】
そして、シンクの奥側隅角部に水切りかご収納部を設けたので、水切りかご収納部に水切りかごが納まってシンク内のスペースに水切りかごがなくなり、シンク内のスペースを広く使える等の効果がある旨、記載されている。
【特許文献１】特開平１０−３７２６４号公報（第８〜１０頁、第１図、第４図、第６図）
【発明の開示】
【発明が解決しようとする課題】
【０００４】
しかしながら、上記特許文献１に記載の技術は、シンクの底面と略面一に水切りかご収納部の上部開口が設けられているため、たとえ、この上部開口周縁をシンクの底面より若干高く形成しても、調理や洗浄のために用いた水が水切りかご収納部に浸入することは避けられず、水切りかごが濡れ、生ゴミを捨てるときに汚水が水切りかごから滴り落ち、不快であり、また、不衛生であるという問題がある。
【０００５】
本発明はこのような問題を解決して、調理や洗浄のために用いた水が水切りかご収納部に浸入することなく、また、生ゴミ等から滲出する汚水はシンク底面下方に配設された汚水排水管を経てシンク排水口からの排水と共に排出されるとともに、シンクの底面積を広く、シンク自体を有効に利用できるシンクの収納構造を提供することを、その課題とする。
【課題を解決するための手段】
【０００６】
上記課題を解決するために、本発明においては、つぎのような技術的手段を講じている。すなわち、請求項１に記載の発明によれば、シンク内の横側面に設けられた格納用凹所とこの格納用凹所に出没自在に格納される収納部とからなる収納構造であって、該収納部には水抜き孔が設けられるとともに、上記格納用凹所の底面には汚水排水口が設けられ、上記収納部に収納された収納物から滲出し、上記水抜き孔から滴り落ちた汚水は上記汚水排水口に流れてシンク底面下方に配設された汚水排水管に排出され、この汚水排水管を経てシンク排水口からの排水と共に排出されるシンクの収納構造が提供される。上記収納物としては、とくに限定されず、キッチン用洗剤、食器洗浄用ブラシ、その他、生ゴミ等があげられる。
【０００７】
請求項２に記載のシンクの収納構造は、請求項１に記載の発明に加えて、上記収納部を略鋭角三角柱とするとともに、略鋭角三角柱の鋭角部の下部に孔部を設け、上記格納用凹所の上記孔部に相当する底面に回動軸を突設し、この回動軸を上記孔部に嵌挿することにより、上記略鋭角三角柱形状の収納部が鋭角部を軸心にして回動自在、かつ、着脱自在に格納用凹所に格納される。
【０００８】
請求項３に記載のシンクの収納構造は、請求項１に記載の発明に加えて、上記収納部を箱体とするとともに、この箱体が上記格納用凹所に嵌挿自在、かつ、着脱自在に格納される。
【０００９】
請求項４に記載のシンクの収納構造は、請求項１に記載の発明に加えて、上記収納部が生ゴミ収納用水切りかごとすることが好ましい。
【発明の効果】
【００１０】
請求項１に記載の発明にかかるシンクの収納構造は上記のとおりであり、シンク内の横側面に設けられた格納用凹所とこの格納用凹所に出没自在に格納される収納部とからなり、回動または嵌挿等の方法により出没自在とされた収納部は、必要時のみ上記格納用凹所から出して使用し、通常は、シンク内の横側面に設けられた格納用凹所に格納されるため、従来、水切りかご等の収納部が置かれたシンク底面上のスペースが空き、シンク自体を広く有効に使用することができる。
【００１１】
また、上記収納部には水抜き孔が設けられ、上記格納用凹所の底面には汚水排水口が設けられているため、上記収納部に収納された収納物から滲出し、上記水抜き孔から滴り落ちた汚水は上記汚水排水口に流れてシンク底面下方に配設された汚水排水管に排出されるため、シンク底面上に汚水が流れることなく、目に触れずに、清潔に排出することができる。
【００１２】
請求項２に記載のシンクの収納構造は上記のとおりであり、請求項１のシンクの収納構造の有する効果に加え、上記収納部を略鋭角三角柱とし、この略鋭角三角柱形状の収納部の鋭角部の下部に設けられた孔部が格納用凹所の底部に突設された回動軸に嵌挿され、回動自在、かつ、着脱自在とされているため、収納物を投入するとき等、必要なときにはシンクの内側方向に回動し、収納物投入後は再び元の位置に回動し、格納用凹所に格納することができる。また、上記回動軸から孔部を抜き、収納部全体を取り出して溜まった収納物を捨てることができる。その結果、シンク底面上のスペースを広くシンク自体を有効に使用することができる。
【００１３】
請求項３に記載のシンクの収納構造は上記のとおりであり、請求項１のシンクの収納構造の有する効果に加え、上記収納部を箱体とするとともに、この箱体が上記格納用凹所に嵌挿自在、かつ、着脱自在に格納されているため、収納物を投入するとき等、必要なときにはシンクの内側に引出し、収納物投入後は、再び嵌挿して格納用凹所に格納することができる。また、上記箱体を格納用凹所から取り出して収納物を捨てることができる。その結果、シンク底面上のスペースを広くシンク自体を有効に使用することができる。
【００１４】
請求項４に記載のシンクの収納構造は上記のとおりであり、請求項１のシンクの収納構造の有する効果に加え、上記収納部を生ゴミ収納用水切りかごとすることにより、通常、生ゴミを収納した収納部はカウンターの下方に格納されているため、外から見えず、見苦しい生ゴミを見栄えよく収納できる。また、生ゴミから滲出する汚水はシンクの底面下方に配設された汚水排水管に排出されるため、シンク底面上に汚水が流れることなく、目に触れずに、清潔に排出することができる。
【発明を実施するための最良の形態】
【００１５】
以下、本発明の実施形態について、本発明のシンクの収納構造を生ゴミ収納用水切りかごに適用した場合について、図面を参照して詳細に説明する。図１は、本発明にかかるシンクの収納構造Ａの概略構成を示す説明図である。
【００１６】
図１に示すように、上記シンクの収納構造Ａは、シンク３を構成する内側の横側面３１に設けられた格納用凹所２とこの格納用凹所２に出没自在に格納される略鋭角三角柱形状の収納部１とからなり、上記収納部１には多数の水抜き孔１１が設けられている。上記格納用凹所２の底面には汚水排水口２１が設けられ、格納用凹所２に格納された収納部１内の生ゴミから滲出し、水抜き孔１１から滴り落ちた汚水は上記汚水排水口２１に流れ、汚水排水管４に排出される。この汚水排水管４はシンク３に設けられたシンク排水口３２からの排水を流す排水本管５に連設された排水トラップ６に連結され、このようにして、水抜き孔１１から出た汚水はシンク排水と共に排出される。
【００１７】
つぎに、格納用凹所２に収納部１を出没自在に格納する形態について図２を参照して説明する。図２の分解斜視図に示すように、上記収納部１は略鋭角三角柱形状とされ、上記略鋭角三角柱の鋭角部１２の下部に孔部１３が設けられるとともに、上記格納用凹所２の底面の上記孔部１３に相当する位置には回動軸２２が突設されている。図２に白抜きの矢印で示すように、回動軸２２を上記孔部１３に嵌挿することにより、上記略鋭角三角柱形状の収納部１は上記略鋭角三角柱の鋭角部１２を軸心にして回動自在、かつ、着脱自在に格納用凹所２に格納される。
【００１８】
図３は、図２に示すようにして、格納用凹所２に回動自在に取り付けられた収納部１を略鋭角三角柱形状の鋭角部１２を軸心に回動して生ゴミを収納する状態を示す平面図である。図３に示すように、収納部１はシンク３の内側に容易に回動することが可能であり、この状態で生ゴミを簡単に投入できる。生ゴミ投入後は、上記収納部１を回動して格納用凹所２に格納する。図４は生ゴミＧを投入して上記収納部１を格納用凹所２に格納した状態を示す平面図である。
【００１９】
図４に示すように、この状態では生ゴミＧを収納した収納部１はカウンターの下方に格納されているため、外から見えず、見苦しい生ゴミＧを見栄えよく収納できるとともに、シンク３の底面を広く使うことができる。また、生ゴミから滲出する汚水はシンク３の底面下方に配設された汚水排水管４を経て排水トラップ６に流れ、排水本管５からのシンク排水と共に下水に排出される。水切りされた生ゴミＧは、再び、図３に示す状態となるように収納部１を回動させて、上記孔部１３を上記格納用凹所２の底面に突設された回動軸２２から外すとともに、収納部１を取出し、水切りされた生ゴミＧは所定の場所に捨てられる。本実施形態においては上記収納部１は略鋭角三角柱形状の場合について述べたが、略鋭角三角柱形状のみならず、平面視弓形、長円形の水切りかごとしてもよい。
【００２０】
なお、上記は格納用凹所２に略鋭角三角柱形状の収納部１を回動自在に出没させる形態について説明したが、収納部１を箱体とし、この箱体を上記格納用凹所２に嵌挿自在、かつ、着脱自在に格納してもよい。すなわち、生ゴミを投入するとき等、必要なときにはシンク３の内側方向にこの箱体を引出し、生ゴミ投入後は、再び嵌挿して格納用凹所２に格納する。この状態では生ゴミを収納した収納部１はカウンターの下方に格納されているため、外から見えず、見苦しい生ゴミを見栄えよく収納できるとともに、シンク底面上のスペースを広くシンク自体を有効に使用することができる。また、この箱体は着脱自在とされているため、上記箱体を格納用凹所から取り出して水切りをした生ゴミを捨てることができる。このように、本発明は種々設計変更可能であり、特許請求の範囲を逸脱しない限り本発明の技術的範囲に含まれる。
【図面の簡単な説明】
【００２１】
【図１】本発明にかかるシンクの収納構造の概略構成を示す説明図である。
【図２】格納用凹所に収納部を回動自在に格納する形態を説明する分解斜視図である。
【図３】収納部を略鋭角三角柱形状としその鋭角部を軸心に回動して生ゴミを収納する状態を示す平面図である。
【図４】生ゴミを収納した略鋭角三角柱形状の収納部をカウンターの下方に格納した状態を示す平面図である。
【符号の説明】
【００２２】
Ａ          本発明にかかるシンクの収納構造
Ｇ          生ゴミ
１          収納部
１１        水抜き孔
１２        鋭角部
１３        孔部
２          格納用凹所
２１        汚水排水口
２２        回動軸
３          シンク
３１        横側面
３２        シンク排水口
４          汚水排水管
５          排水本管
６          排水トラップ
【図１】
2008025261.tif 000003
【図２】
2008025261.tif 000004
【図３】
2008025261.tif 000005
【図４】
2008025261.tif 000006